(57)【要約】【課題】  メガネ７０に取り付けて用いるタイプのアイパッチが、従来より提案されているが、メガネからずれて隙間を生じ、光が漏れ入る懸念がある。そこでメガネ７０にしっかりと固定できるメガネ取付型アイパッチを提供することを目的とする。【解決手段】  アイパッチ１０は、内側布地１１と外側布地１２よりなるレンズ装着部と、内側布地１１から連続する袴部６２とからなる。外側布地１２は、上端縁部分１２ａにおいて内側布地１１に縫着固定され、下方側には取付片１５が設けられている。取付片１５と下袴部６２ｂの間には面ファスナー２３が介装されている。外側布地１２を引っ張りつつ面ファスナー２３で留めることで、アイパッチ１０をメガネにしっかりと装着できる。【選択図】      図２
2005345868.tif 000002
【特許請求の範囲】
【請求項１】
メガネのレンズ部分に装着するレンズ装着部と、このレンズ装着部の外周縁から顔面方向に向かって垂れる袴部とを備えたメガネ取付型のアイパッチであって、
前記レンズ装着部は、前記レンズ部分の内面側と外面側をそれぞれ覆う２枚の被覆布地を備え、
この２枚の被覆布地のうちの一方は、前記袴部に連続するものであり、
前記２枚の被覆布地のうちの他方は、その一部が前記一方の被覆布地に固定されると共に、この固定箇所とは反対側に取付片を有し、該取付片と前記袴部が着脱自在且つ取付位置変更可能に取り付けられるものであることを特徴とするメガネ取付型アイパッチ。
【請求項２】
前記一方の被覆布地が前記レンズ部分を内面側から覆い、前記他方の被覆布地が前記レンズ部分を外面側から覆うものである請求項１に記載のメガネ取付型アイパッチ。
【請求項３】
前記取付片と前記袴部が面ファスナーにより取り付けられるものである請求項１または２に記載のメガネ取付型アイパッチ。
【請求項４】
前記袴部に、メガネの蔓を挿通する為の通し部を設けたものである請求項１〜３のいずれかに記載のメガネ取付型アイパッチ。
【発明の詳細な説明】
【技術分野】
【０００１】
本発明は、メガネに取り付けて用いるタイプのアイパッチに関するものである。
【背景技術】
【０００２】
小児の斜視や弱視を治療する方法の一つとして、健康な目を遮蔽して斜視眼（或いは弱視眼）を強制的に使用させる様にし、これによって斜視眼（或いは弱視眼）の回復を促すという方法がある。
【０００３】
このときの健康な目を遮蔽する部材として、従来では図５［従来のシート貼付型アイパッチを表す裏面図］に示す様なシート貼付型アイパッチ５０が用いられていた。このシート貼付型アイパッチ５０は瞼に当たる部分が不織布５１となっており、その周りの貼着部分５２によって目に貼り付けるものである。
【０００４】
しかしこのシート貼付型アイパッチ５０は、粘着剤（或いは接着剤）にかぶれやすい患者には敬遠されがちであり、殊に健康な目の遮蔽時間は１日のうち年齢×５時間（例えば３歳児の場合は３×５＝１５時間）とするのが一般であり、長時間であることから、このかぶれへの対策が求められている。
【０００５】
そこでメガネに取り付けるタイプの布製アイパッチが提案されている（非特許文献１）。図６の（ａ）はこの布製アイパッチ６０をメガネ７０に取り付けた状態を表す斜視図で、（ｂ）はこの取付手法を説明する為の図である。
【０００６】
該布製アイパッチ６０は、メガネ７０のレンズ部分７１を装着するレンズ装着部６１と、ここから垂れる袴部６２（上袴部６２ａ，下袴部６２ｂ，横袴部６２ｃ）によって健康な目を囲んで光を遮蔽するというものである。レンズ装着部６１は布が２重となっており、この２重布の間の挿通孔６１ａにメガネ７０の蔓７２から通して進み入れ（図６（ｂ）に示す矢印Ａ）、レンズ部分７１を該レンズ装着部６１に位置させる（図６（ａ））。
【０００７】
この布製アイパッチ６０によれば粘着剤（接着剤）を使用しないので、粘着剤によるかぶれの心配がない。
【非特許文献１】川本産業株式会社の商品パンフレット：「布アイパッチ」  BK-0206025
【発明の開示】
【発明が解決しようとする課題】
【０００８】
ところで上記従来の布製アイパッチ６０を、様々なメガネ形状に対応できる汎用品として工業的に生産する為には、やや大きめに作製し、これを使用者が顔に合わせて縁（袴部６２）をカットして用いることとなる。しかしレンズ装着部６１についてはカットして小さくする訳にはいかないので、比較的小さなレンズ部分７１に対しても、大きめのレンズ装着部６１で賄うこととなり、この為、固定が不十分になる虞がある。そして固定が不十分であると、例えば着用者が激しく動いたとき等に、メガネ７０への正しい装着位置から布製アイパッチ６０がずれて隙間が空き、ここから光が入る。この様に光が入ると目がその光の方に自然と向き、ストレスを生じる上、トレーニング効果を損ねる懸念もある。
【０００９】
個々のメガネに適応させてオーダーメイドで布製アイパッチ６０を作製した場合には、上記の如き懸念は生じ難いものの、個々のメガネにぴったりとフィットしたメガネ取付型布製アイパッチ６０を工業的に生産することは、実際には困難である。
【００１０】
他方、上記シート貼付型アイパッチ５０では目の周りにしっかりと貼着するので光が漏れ入る心配は殆どないが、前述の様にかぶれる懸念がある。
【００１１】
そこで本発明においては、かぶれを生じる心配の少ないメガネ取付型のアイパッチであって、しかもメガネ７０にしっかりと固定することのできるアイパッチを提供することを目的とする。
【課題を解決するための手段】
【００１２】
本発明に係るメガネ取付型アイパッチは、メガネのレンズ部分に装着するレンズ装着部と、このレンズ装着部の外周縁から顔面方向に向かって垂れる袴部とを備えたメガネ取付型のアイパッチであって、前記レンズ装着部が前記レンズ部分の内面側と外面側をそれぞれ覆う２枚の被覆布地を備え、この２枚の被覆布地のうちの一方が前記袴部に連続するものであり、前記２枚の被覆布地のうちの他方が、その一部が前記一方の被覆布地に固定されると共に、この固定箇所とは反対側に取付片を有し、該取付片と前記袴部が着脱自在且つ取付位置変更可能に取り付けられるものであることを特徴とする。尚この着脱自在且つ取付位置変更可能に取り付ける部材としては、面ファスナー等が挙げられる。
【００１３】
本発明のアイパッチは、上述の如くメガネのレンズ部を２枚の被覆布地で挟む様にしてメガネに装着するものであって、この装着手順としては、まず取付片と袴部との取付を解除して上記他方の被覆布地を開け、この他方の被覆布地と一方の被覆布地の間にレンズ部を位置させる様にして挟み、次いで袴部に取付片を取り付けるというものである。そしてこのとき、取付片と袴部が取付位置変更可能に取り付けられるから、他方の被覆布地を引っ張りながらその取付片を袴部に取り付ければ、レンズ部分がずれない様にしっかりと固定することができる。しかもこの取付位置の調整により、様々な大きさ，形状のメガネに対応することができる。また着脱自在であるから留め直しが可能であり、緩んできたとき等には再度しっかりと付け直すことができる。
【００１４】
この様にしてアイパッチをメガネにしっかりと固定できるから、アイパッチが殆どずれず、従って隙間の形成を適切に防止できて良好に光を遮蔽することができる。
【００１５】
上記着脱自在且つ取付位置変更可能に取り付ける部材としては、上記面ファスナーの他、粘着テープとこの粘着テープを着脱自在なターゲットテープとの組合せ等が挙げられる。これら面ファスナーや粘着テープ／ターゲットテープは平板状であるから嵩張らず、アイパッチの外観をすっきりとさせることができるので好ましい。殊に面ファスナーであれば、異なるサイズの眼鏡に対しても装着させることができるので、より好ましい。つまり面ファスナーは、一対の面ファスナーを互いにラップさせることで止着可能に構成されているので、該ラップ位置をずらすだけで、異なるサイズの眼鏡に対してもしっかりと装着できるからである。
【００１６】
また本発明において、前記一方の被覆布地が前記レンズ部分を内面側から覆い、前記他方の被覆布地が前記レンズ部分を外面側から覆うものである場合には、メガネを顔に装着した状態で、外側から他方の被覆布地を開閉操作できるので、緩んだとき等の留め直しが容易である。尚以下、レンズ部分を内面側から覆う被覆布地を「内側布地」、外面側から覆う被覆布地を「外側布地」と称することがある。
【００１７】
更に本発明においては、前記袴部に、メガネの蔓を挿通する為の通し部（以下、蔓用通し部と称することがある）を設けたものであることが好ましい。
【００１８】
前述の様に本発明のアイパッチは、レンズ装着部にメガネのレンズ部分を装着することによりメガネに取り付けられるものであるが、更に蔓用通し部にメガネの蔓を挿通することにより、複数箇所でアイパッチを固定することができ、メガネに対する取付位置の安定性が増す。従って一層ずれ難くなり、より良好に光を遮蔽することができる。
【００１９】
尚上記従来のアイパッチ６０では（図６）、たとえ袴部６２（横袴部６２ｃ）に蔓用通し部があっても、装着手法がメガネの蔓７２からレンズ装着部６１の挿通孔に通していくという手法であり（図６（ｂ））、レンズ装着部６１の挿通孔６１ａと横袴部６２ｃ上の蔓用通し部は折れ曲がって位置するから、両方に通すことができない。
【００２０】
この点において本発明のアイパッチによれば、他方の被覆布地（例えば外側布地）を開閉して装着する手法であるからから、袴部に位置する蔓用通し部に対してメガネの蔓を挿通した上で、他方の被覆布地を閉じてメガネのレンズ部分に装着すれば良く、この様にして蔓用通し部とレンズ装着部の両方でメガネに固定できる。
【発明の効果】
【００２１】
本発明に係るメガネ取付型アイパッチによれば、たとえ汎用品として比較的大きく製造されたものであっても、メガネにしっかりと固定することができる。
【発明を実施するための最良の形態】
【００２２】
図１の（ａ），（ｂ）は本発明の一実施形態に係るメガネ取付型アイパッチ１０を表す斜視図であり、（ａ）はレンズ装着部を開けた状態を表し、（ｂ）はレンズ装着部を閉じた状態を表している。また図１の（ｃ）は上記メガネ取付型アイパッチ１０の縦方向の断面図（（ｂ）に示すＤ−Ｄ線断面図）である。
【００２３】
このアイパッチ１０は、内側布地（一方の被覆布地）１１と外側布地（他方の被覆布地）１２よりなるレンズ装着部１９と、袴部６２（上袴部６２ａ，下袴部６２ｂ，横袴部６２ｃ）とからなり、これらはいずれもフェルト製である。袴部６２は内側布地１１から連続してその外周縁から顔面方向に向かって垂れており、このうちの横袴部６２ｃの外面には蔓用通し部１７が設けられている。尚この蔓用通し部１７は短冊状小片の上下両端を縫着して通し孔を形成したものである。また下袴部６２ｂの外側面にはループ型係合部材（面ファスナー２３における一方の部材）１３が縫着されている。更に内側布地１１の鼻側には、メガネの鼻当てを通す為の孔１６が形成されている。
【００２４】
外側布地１２は、その上端縁部分１２ａにおいて内側布地１１に縫着固定されている。またこの縫着部（上端縁部分１２ａ）の反対側（下方側）には取付片１５が設けられており、該取付片１５の内側面には鈎型係合部材（面ファスナー２３における他方の部材）１４が縫着されている。そして図１（ａ）に示す様に外側布地１２を上方に開けたり（矢印Ｂ）、図１（ｂ）に示す様に外側布地１２を閉じて（矢印Ｃ）その取付片１５の鈎型係合部材１４を下袴部６２ｂのループ型係合部材１３に係合して留めたりすることができる。
【００２５】
次にこのメガネ取付型アイパッチ１０をメガネ７０に取り付ける手順について説明する。図２はこの取り付け手順を説明する為の図である。尚図１と同じ構成部分については同一の符号を付して重複説明を避ける。
【００２６】
先ずアイパッチ１０の外側布地１２を開けた状態で、メガネ７０の蔓７２を蔓用通し部１７に挿通し、メガネ７０のレンズ部分７１を内側から覆う様に内側布地１１を位置させ（図２（ａ）：メガネ７０とアイパッチ１０を外側から見た斜視図）、内側布地１１の孔１６にメガネの鼻当て７３を通す（図２（ｂ）：メガネ７０とアイパッチ１０を内側から見た斜視図）。次いで外側布地１２でレンズ部分７１の外側から覆う様に該外側布地１２を引っ張りながら閉じて、取付片１５の鈎型係合部材１４を下袴部６２ｂのループ型係合部材１３に係合して留め、装着が完了する（図２（ｃ）：メガネ７０とアイパッチ１０を外側から見た斜視図、図１（ｃ））。尚図２（ｄ）は、このアイパッチ１０付きのメガネ７０の使用状態を表す図である。
【００２７】
この様に本実施形態においては、面ファスナー２３（鈎型係合部材１４とループ型係合部材１３）の係合により留めるものであるから、この係合位置を任意に調整することによって、様々な形状，大きさのメガネ７０に対応してアイパッチ１０を装着することができる。しかも外側布地１２を引っ張って留めることで、レンズ部分７１を内側布地１１との間にしっかりと挟み込んで固定でき、従ってアイパッチ１０はメガネ７０から殆どずれず、隙間を生じて光が漏れ入ることを防止できる。
【００２８】
また仮にアイパッチ１０の装着が緩んでも、再びしっかりとレンズ部分７１を固定するべく、外側布地１２を開閉して面ファスナー２３（鈎型係合部材１４とループ型係合部材１３）を留め直すことも可能である。しかもこの留め直し操作は前側から行えるので、顔にメガネ７０をかけたままで操作できる。
【００２９】
加えて蔓用通し部１７によりメガネ７０を蔓７２の部分においても固定できるので、アイパッチ１０が一層しっかりとメガネ７０に固定され、容易にずれることがない。
【００３０】
なお袴部６２の長さの調整については、図３［（ａ）：試着の様子を表す側面図、（ｂ）：袴部６２を切り取る様子を表す図］に示す様に、予め試着し、顔のラインに合わせる様にして袴部６２の裾をハサミ２１等で切り取ると良い。尚袴部６２はフェルト製であるので、切り取っても簡単には解れない。
【００３１】
また図４［アップリケを施したアイパッチを表す斜視図］に示す様に、アイパッチ１０の外側面にアップリケ１８等の装飾を施しても良く、この様な装飾は、アイパッチの装着を拒絶する子供の心情を和らげることから、推奨されている。
【００３２】
ところで上記従来の布製アイパッチ６０であっても、レンズ装着部に伸縮性布地を用いると共にやや小さめに構成し、これを伸ばす様にしてメガネレンズ部を挿着すれば、良好なフィット性を示してズレ難いと考えられるが、これにアップリケを施した場合には、該アップリケが外側布地の伸縮を妨げ、フィット性を損ねる虞がある。この点において上記実施形態の様に外側布地１２を開閉できる構造とし、面ファスナー２３によって着脱自在且つ取付位置変更可能に取り付けられるものであれば、レンズ装着部１９（外側布地１２や内側布地１１）に伸縮性がなくとも、しっかりとフィットさせることができ、アップリケ等の装飾も自由に行えるという利点を有する。
【００３３】
以上の様に例を挙げて本発明を具体的に説明したが、本発明はもとより上記例によって制限を受けるものではなく、前記の趣旨に適合し得る範囲で適当に変更を加えて実施することも勿論可能であり、それらはいずれも本発明の技術的範囲に包含される。
【００３４】
例えば上記実施形態では外側布地１２を開閉する構成のものを示したが、外側布地に袴部を連続させ、内側布地を開閉する構成としても良い。
【００３５】
加えてアイパッチの材料として上記実施形態ではフェルトを用いたが、これに限るものではなく、その他の不織布、織物、編物のいずれでも良い。尚皮膚刺激がなく（或いは皮膚刺激が少なく）遮光性に優れた材料を用いることが好ましい。また遮光の観点からは、内側布地１１，外側布地１２のいずれもが遮光性に優れた材料である必要はなく、例えば内側布地１１のみに遮光性に優れた材料を用い、外側布地１２をメッシュ生地や紐等で構成しても良い。
【図面の簡単な説明】
【００３６】
【図１】（ａ），（ｂ）は本発明の一実施形態に係るメガネ取付型アイパッチを表す斜視図であり、（ｃ）はこの縦断面図である。
【図２】図１に示すメガネ取付型アイパッチの取り付け手順を説明する為の図である。
【図３】（ａ）はアイパッチ装着メガネの試着の様子を表す側面図であり、（ｂ）はアイパッチの袴部を切り取る様子を表す図である。
【図４】本発明の一実施形態に係るアイパッチにアップリケを施した様子を表す斜視図である。
【図５】従来のシート貼付型アイパッチを表す裏面図である。
【図６】（ａ）は従来のメガネ取付型布製アイパッチメガネに取り付けた状態を表す斜視図であり、（ｂ）はこの取付手法を説明する為の図である。
【符号の説明】
【００３７】
１０  メガネ取付型アイパッチ
１１  内側布地（一方の被覆布地）
１２  外側布地（他方の被覆布地）
１３  ループ型係合部材
１４  鈎型係合部材
１５  取付片
１６  孔
１７  蔓用通し部
１９  レンズ装着部
６２  袴部
６２ａ  上袴部
６２ｂ  下袴部
６２ｃ  横袴部
７０  メガネ
７１  レンズ部分
７２  蔓
【図１】
2005345868.tif 000003
【図２】
2005345868.tif 000004
【図３】
2005345868.tif 000005
【図４】
2005345868.tif 000006
【図５】
2005345868.tif 000007
【図６】
2005345868.tif 000008